(57)【要約】      （修正有）【課題】空気調和機等の冷凍装置において、室外熱交換器の伝熱フィン部分に付着した霜を除去するための除霜ブラシに使用するブラシ毛の好適な形状を提案する。【解決手段】各熱交換用フィン間の隙間に進入せしめられる除霜ブラシ５の各ブラシ毛５ａの横断面の形状を、ブラシ毛５ａの移動方向に向って開いているＶ字形状とする。又、除霜ブラシ５の各ブラシ毛５ａの横断面の形状を、ブラシ毛５ａの移動方向に向って尖頂部を向けた逆Ｖ字形状とする。又、除霜ブラシ５の各ブラシ毛５ａの形状を、フィン間隙間の入口側（ブラシ毛基部側）において高密度でフィン間隙間の奥方向側（ブラシ毛先端側）において疎密度とする。又、除霜ブラシ５の各ブラシ毛５ａの形状をブラシ毛５ａの先端部において球形とする。又、除霜ブラシ５の各ブラシ毛５ａの形状が中空とされていて、各ブラシ毛５ａの中空部を通して前記各フィン間隙間に霜融解用流体が供給されるようにする。【選択図】図５
2009243811.tif 000002
【特許請求の範囲】
【請求項１】
多数並設された熱交換用フィンに付着した霜を除霜ブラシによって機械的に除去するフィン除霜手段をそなえた冷凍装置用熱交換器の除霜ブラシであって、前記熱交換用フィン間の隙間に進入せしめられる除霜ブラシの各ブラシ毛の横断面の形状が、該ブラシ毛の移動方向に向って開いているＶ字形状とされていることを特徴とする冷凍装置用熱交換器の除霜ブラシ。
【請求項２】
多数並設された熱交換用フィンに付着した霜を除霜ブラシによって機械的に除去するフィン除霜手段をそなえた冷凍装置用熱交換器の除霜ブラシであって、前記各熱交換用フィン間の隙間に進入せしめられる除霜ブラシの各ブラシ毛の横断面の形状が、該ブラシ毛の移動方向に向って尖頂部を向けた逆Ｖ字形状とされていることを特徴とする冷凍装置用熱交換器の除霜ブラシ。
【請求項３】
多数並設された熱交換用フィンに付着した霜を除霜ブラシによって機械的に除去するフィン除霜手段をそなえた冷凍装置用熱交換器の除霜ブラシであって、前記各熱交換用フィン間の隙間に進入せしめられる除霜ブラシの各ブラシ毛の形状が、前記フィン間隙間の入口側において高密度でフィン間隙間の奥方向側において疎密度とされていることを特徴とする冷凍装置用熱交換器の除霜ブラシ。
【請求項４】
多数並設された熱交換用フィンに付着した霜を除霜ブラシによって機械的に除去するフィン除霜手段をそなえた冷凍装置用熱交換器の除霜ブラシであって、前記各熱交換用フィン間の隙間に進入せしめられる除霜ブラシの各ブラシ毛の形状がブラシ毛の先端部において球形とされていることを特徴とする冷凍装置用熱交換器の除霜ブラシ。
【請求項５】
多数並設された熱交換用フィンに付着した霜を除霜ブラシによって機械的に除去するフィン除霜手段をそなえた冷凍装置用熱交換器の除霜ブラシであって、前記各熱交換用フィン間の隙間に進入せしめられる除霜ブラシの各ブラシ毛の形状が中空とされていて、各ブラシ毛の中空部を通して前記各フィン間隙間に霜融解用流体が供給されるようにされていることを特徴とする冷凍装置用熱交換器の除霜ブラシ。
【発明の詳細な説明】
【技術分野】
【０００１】
本願発明は、冷凍装置用熱交換器の除霜ブラシの構成に関するものである。
【背景技術】
【０００２】
空気調和機等の冷凍装置において、冬季に冷凍回路における熱源側の室外熱交換器が蒸発器として機能する運転（暖房運転など）を行うと、外気温度が低いような場合には、同熱源側の室外熱交換器の伝熱フィン部分に霜が付着して、熱交換効率が大きく低下する。
【０００３】
今、そのような霜の付着状態を、例えばプレートフィン１を採用したクロスフィンコイル型室外熱交換器１０の場合を一例として示すと、図１０および図１１のようになる。
【０００４】
図１０および図１１中、符号１，１・・・・は多数枚のプレートフィン、２ａ，２ｂ、２ａ，２ｂ・・・は前列側、後列側の各伝熱管であり、上記多数枚のプレートフィン１，１・・・は、それぞれのフィンカラー部の伝熱管嵌装孔（図示省略）を介して上記前後２列の各伝熱管２ａ，２ｂ、２ａ，２ｂ・・・にクロス状態で嵌装され、空気通路を形成するための所定のフィンピッチを保って並設固定されている。
【０００５】
そして、同熱交換器１１の例えば空気流下流側には、図示はしないが、当該熱交換器１０を介して矢印方向に空気を吸込むプロペラファン等の送風機が設置されている。
【０００６】
このような構成の熱交換器１０において、同熱交換器１０が蒸発器として運転された場合、冬季等で外気温が所定温度以上に低い場合（例えば０℃以下のとき）、図示のようにフィン表面温度と外気温との差が大きく、冷却性能（熱交換性能）が高いフィン前縁１ａ側ほど大きな着霜を生じ、空気との伝熱性能を低下させるとともに、その成長に応じて次第にフィンピッチを狭くして通風量を低減させる。通風量の低下は、さらに霜の成長を促進させる。
【０００７】
この結果、熱交換効率が低下し、室内機側熱交換器の凝縮効率（暖房性能）を低下させる。また霜の放置は、上記熱交換量の減少に加えて、蒸発圧力の異常な低下や圧縮機への冷媒液の戻りを引き起こし、冷凍機の性能低下や故障の原因ともなる。
【０００８】
従来、このような室外熱交換器１０の霜を取る除霜手段としては、大別して、例えばブラシ等を使用して機械的に霜を除去する機械的除霜装置（一例として特許文献１のものを参照）と、圧縮機からの暖かい冷媒（ホットガス）を同室外熱交換器１０内に送り込んで霜を融解させて除去するデフロスト装置（一例として特許文献２のものを参照）の２種があり、また、これら両方の除霜手段を併用した複合方式の除霜装置（例えば特許文献３のものを参照）もある。
【０００９】
上記特許文献１のブラシを使用した機械的除霜装置では、同じ長さ、同じ剛性等の毛を軸体周方向に均等に植え込んだブラシを用い、該ブラシを回転させながら、上下方向に駆動することによって伝熱フィン表面の霜を掻き落すようになっている。
【００１０】
また、上記特許文献２のホットガスを使用したデフロスト装置では、例えば所定の状態で暖房運転が行われており、同状態において、室外熱交換器に着霜が生じたとすると、冷凍回路の４方切替弁を、それまでとは冷媒の流れが逆になる状態に切り替えることにより、蒸発器として機能としていた室外熱交換器に対して圧縮機からの高温の吐出ガスを供給し、それによって伝熱フィン表面の霜を融解するようになっている。
【００１１】
さらに、上記特許文献３の融解方式および機械式の２方式併用装置では、先ずホットガス供給による融解除去手段を利用して室外熱交換器の伝熱フィン部分に付着した霜を水膜もしくはシャーベット膜の状態に融解した後に、ブラシ等の機械的除去手段を利用してスムーズに霜を取り除くことにより、基本となるホットガスを用いた霜融解除去運転にかかるトータルの時間の短縮を図るようにしている。
【００１２】
したがって、上記特許文献２のようなホットガス供給による融解除去運転単独での除霜方法の場合に比べると、たしかに除霜運転時間そのものは短縮される。
【００１３】
【特許文献１】実開平６−５９７６９号公報
【特許文献２】特開平６−３４１７４１号公報
【特許文献３】特開平１１−２０１５９３号公報
【発明の開示】
【発明が解決しようとする課題】
【００１４】
ところで、いくつかの公知の文献の中には上述したように熱交換器の熱交換用フィンに付着した霜を除霜ブラシで機械的に除去するものが開示されているが、それらの公知文献においては、除霜ブラシの有利な形状等については特に詳細に記述されていない。
【００１５】
そこで、本願発明は、冷凍装置の熱交換器の熱交換用フィンに付着した霜を除霜ブラシによって除去するものにおいて、その除霜ブラシのブラシ毛の好適な形状を提案しようとするものである。
【課題を解決するための手段】
【００１６】
以上のように、本願発明においては、多数並設された熱交換用フィンに付着した霜を除霜ブラシによって機械的に除去するフィン除霜手段をそなえた冷凍装置用熱交換器の除霜ブラシにおいて、そのブラシ毛の好適な形状を提案しようとするものであるが、具体的には、次に記述するような構成をそなえたものが提案される。
【００１７】
すなわち、その第１の構成としては、前記各熱交換用フィン間の隙間に進入せしめられる除霜ブラシの各ブラシ毛の横断面の形状が、該ブラシ毛の移動方向に向って開いているＶ字形状とされているものがあげられる。
【００１８】
ブラシ毛の横断面の形状を上記のようにすると、熱交換用フィン面に付着している霜又は氷を除霜ブラシの移動にともなってＶ字形状の両側辺によって効果的に掻き落とすことができ、熱交換用フィン面に硬く付着した霜又は氷であっても効率よく掻き落とすことができる。
【００１９】
次に、本願発明の第２の構成としては、前記各熱交換用フィン間の隙間に進入せしめられる除霜ブラシの各ブラシ毛の横断面の形状が、該ブラシ毛の移動方向に向って尖頂部を向けた逆Ｖ字形状とされているものがあげられる。
【００２０】
ブラシ毛の横断面の形状を上記のようにすると、ブラシ毛の移動時にＶ字形状の両側辺が内向きに変形して抵抗力が小さく、除霜ブラシの駆動に要するモーター動力（消費電力）を小さくすることができる。
【００２１】
次に、本願発明の第３の構成としては、前記各熱交換用フィン間の隙間に進入せしめられる除霜ブラシの各ブラシ毛の形状が、前記フィン間隙間の入口側（ブラシ毛基部側）において高密度でフィン間隙間の奥方向側（ブラシ毛先端側）において疎密度とされているものがあげられる。
【００２２】
ブラシ毛の形状を上記のようにすると、多数並設された熱交換用フィン間の隙間の入口側（比較的着霜密度が高い）においてはブラシ毛の高密度部分が強力な霜の掻き落とし作用を行い、フィン間隙間の奥方向（比較的着霜密度が低い）においてはブラシ毛の疎密度部分が比較的弱い力で、霜の掻き落とし作用を行うため、全体として除霜ブラシの除霜作用とその除霜作用のための除霜ブラシ駆動力のバランスがとれ、小さなモーター駆動力（消費電力）で良好な除霜作用が得られる。
【００２３】
次に、本願発明の第４の構成としては、前記各熱交換用フィン間の隙間に進入せしめられる除霜ブラシの各ブラシ毛の形状がブラシ毛の先端部において球形とされているものがある。
【００２４】
ブラシ毛の形状を上記のようにすると、除霜ブラシのブラシ毛がフィン間隙間内で一方のフィン面側に片寄るのを防止することができ、一対の熱交換用フィンの両方のフィン面をムラなく除霜することができる。
【００２５】
次に、本願発明の第５の構成としては、前記各熱交換用フィン間の隙間に進入せしめられる除霜ブラシの各ブラシ毛の形状が中空とされていて、各ブラシ毛の中空部を通して前記各フィン間隙間に霜融解用流体が供給されるようにされているものがある。
【００２６】
ブラシ毛の形状の上記のようにすると、除霜ブラシの移動による霜の掻き落とし作用に加えて霜融解用流体（温水、温風など）による霜融解作用によりさらに効率的な除霜作用が得られる。
【００２７】
なお、本願発明を実施するにおいては、上記第１ないし第５の構成の全部又は任意の２ないし４の構成を相互に組合わせて実施することができる。
【発明の効果】
【００２８】
本願発明の第１の構成によれば、各熱交換用フィン間の隙間に進入せしめられる除霜ブラシの各ブラシ毛の横断面の形状が、該ブラシ毛の移動方向に向って開いているＶ字形状とされているので、熱交換用フィン面に付着している霜又は氷を除霜ブラシの移動にともなってＶ字形状の両側辺によって効果的に掻き落とすことができ、熱交換用フィン面に硬く付着した霜又は氷であっても効率よく掻き落とすことができる効果がある。
【００２９】
次に、本願発明の第２の構成によれば、各熱交換用フィン間の隙間に進入せしめられる除霜ブラシの各ブラシ毛の横断面の形状が、該ブラシ毛の移動方向に向って尖頂部を向けた逆Ｖ字形状とされているので、ブラシ毛の移動時にＶ字形状の両側辺が内向きに変形して抵抗力が小さく、除霜ブラシの駆動に要するモーター動力（消費電力）を小さくすることができる効果がある。
【００３０】
次に、本願発明の第３の構成によれば、各熱交換用フィン間の隙間に進入せしめられる除霜ブラシの各ブラシ毛の形状が、前記フィン間隙間の入口側（ブラシ毛基部側）において高密度でフィン間隙間の奥方向側（ブラシ毛先端側）において疎密度とされているので、多数並設された熱交換用フィン間の隙間の入口側（比較的着霜密度が高い）においてはブラシ毛の高密度部分が強力な霜の掻き落とし作用を行い、フィン間隙間の奥方向（比較的着霜密度が低い）においてはブラシ毛の疎密度部分が比較的弱い力で、霜の掻き落とし作用を行うため、全体として除霜ブラシの除霜作用とその除霜作用のための除霜ブラシ駆動力のバランスがとれ、小さなモーター駆動力（消費電力）で良好な除霜作用が得られる効果がある。
【００３１】
次に、本願発明の第４の構成によれば、各熱交換用フィン間の隙間に進入せしめられる除霜ブラシの各ブラシ毛の形状がブラシ毛の先端部において球形とされているので、除霜ブラシのブラシ毛がフィン間隙間内で一方のフィン面側に片寄るのを防止することができ、一対の熱交換用フィンの両方のフィン面をムラなく除霜することができる効果がある。
【００３２】
さらに本願発明の第５の構成によれば、各熱交換用フィン間の隙間に進入せしめられる除霜ブラシの各ブラシ毛の形状が中空とされていて、各ブラシ毛の中空部を通して前記各フィン間隙間に霜融解用流体が供給されるようにされているので、除霜ブラシの移動による霜の掻き落とし作用に加えて霜融解用流体（温水、温風など）による霜融解作用によりさらに効率的な除霜作用が得られる効果がある。
【００３３】
なお、本願発明を実施するにおいては、上記第１ないし第５の構成の全部又は任意の２ないし４の構成を相互に組合わせて実施することができる。
【発明を実施するための最良の形態】
【００３４】
以下、本願発明の実施の形態について、添付の図面を参照しながら詳細に説明する。
【００３５】
先ず図１〜図３は、本願発明の実施に係る除霜ブラシを備えた冷凍装置用熱交換器の構成を示している。
【００３６】
図１中、符号１，１・・・・は、空気調和機用熱交換器（クロスフィンコイル型）１０の多数枚のプレートフィン、２ａ，２ｂ、２ａ，２ｂ・・・は、前列側、後列側の各伝熱管であり、上記多数枚のプレートフィン１，１・・・は、それぞれのフィンカラー部の伝熱管嵌装孔（図示省略）を介して上記前後２列の各伝熱管２ａ，２ｂ、２ａ，２ｂ・・・に対してクロス状態で嵌装され、空気通路を形成するために必要かつ十分な所定のフィンピッチを保って左右両側の管板１０ａ，１０ｂ間に並設して固定されている。
【００３７】
そして、同室外熱交換器１０の例えば空気流下流側には、図示はしないが、当該室外熱交換器１０を介して矢印方向に外からの空気を吸込むプロペラファン等の送風機が設置されている。
【００３８】
このような構成の室外熱交換器１０において、同熱交換器１０が蒸発器として運転された場合、冬季等で外気温が所定温度以上に低い場合（例えば０℃以下）、前述の図１０に示すように、フィン表面温度と外気温との差が大きく、冷却性能（熱交換性能）が高いフィン前縁１ａ側ほど大きな着霜を生じ、伝熱性能を低下させるとともに、その成長に応じて次第にフィンピッチを狭くして通風量を低減させる。
【００３９】
その結果、熱交換効率が低下し、室内機側熱交換器の凝縮効率（暖房性能）を低下させる。
【００４０】
そこで、そのような問題を解決するために、この室外熱交換器１０の空気吸込口面側には、図２及び図３に示すように、上記プレートフィン１，１・・・および伝熱管２ａ，２ａ・・・部に着霜した霜Ｆ，Ｆ・・・を掻き落すために必要にして十分な剛性の高い毛５ａ，５ａ・・・を備えた除霜ブラシとしての回転ブラシ５が、左右両端間に亘って、所望の方向に回転しながら上下両方向に任意に昇降駆動されるように設置されている。
【００４１】
上記回転ブラシ５の回転軸４の両端側には、上下方向に伸び、かつウォームギヤとして機能する左右一対のスクリューシャフト８，８が上下一対の軸支部１１ａ，１１ａ、１１ｂ，１１ｂを介して回転可能に設けられており、上記回転ブラシ５の回転軸４は、左右両端側の各係合ブラケット９，９を介して、これらスクリューシャフト８，８に対して昇降可能に遊嵌螺合状態で取り付けられている。
【００４２】
すなわち、上記回転軸４両端側の係合ブラケット９，９は、それぞれ内周面に上記スクリューシャフト８，８の螺条部に係合する螺条凹部を有するシャフト嵌挿孔９ａ，９ａを備えて外嵌されており、スクリューシャフト８，８の回転方向に応じて上下何れかの方向に昇降移動され、上記回転軸４の軸受部として構成されている。そして、該係合ブラケット９，９の軸受孔に対して上記回転軸４の各軸端が回転可能に支持されている。
【００４３】
また、同回転軸４の何れか一端側は、上記ブラシ駆動用モータＭ1の回転駆動軸部分に減速ギヤボックス６を介して連結支持されており、同回転軸４は上記ブラシ駆動用モータＭ1により所望の回転速度で、所望の回転方向に回転駆動されるようになっている。そして、同ブラシ駆動用モータＭ1の他端に、上記スクリューシャフト８に螺合外嵌された係合ブラケット９が取り付られており、該係合ブラケット９を介して、スクリューシャフト８により昇降駆動されるようになっている。
【００４４】
一方、上記一端側および他端側各スクリューシャフト８，８には、それぞれの下端８ａ，８ａ側に回転ギヤプーリ１２ｂ，１２ｂが設けられており、これら回転ギヤプーリ１２ｂ，１２ｂに対して歯付ベルト又はチェーン１４ｂが掛け亘されており、何れか一方側の駆動により相互に連動して回転するようになっている。そして、その内の一方側スクリューシャフト８の下端８ａには、さらに従動ギヤ１２ａが固定されており、該従動ギヤ１２ａは、歯付ベルト又はチェーン１４ａを介してスクリューシャフト駆動用モータＭ2の出力軸１５に固定されたスクリューシャフト駆動ギヤ１３に連係されている。
【００４５】
したがって、同スクリューシャフト駆動用モータＭ2が回転駆動されると、上記左右一対のスクリューシャフト８，８が所望の方向に回転され、それに応じて上記回転ブラシ５が下部側から上方側に、また上部側から下方側に任意に昇降作動される。
【００４６】
一方、同上昇時又は下降時において、上述のブラシ駆動用モータＭ1により上記回転ブラシ５が矢印のように回転され、所望の速度で回転しながら上述した室外熱交換器１０の伝熱フィン１，１・・・表面の前縁部１ａ側から後縁部１ｂ方向にかけて生成された霜Ｆ，Ｆ・・・を掻き落して行く。
【００４７】
ところで、上記回転ブラシ５は、例えば図４に示されるように、所定の太さの回転軸４の外周に多数のブラシ毛５ａ，５ａ・・・を植え込んで（もちろん図面上では表示上の限界があるので、実際の本数よりも少なくして分りやすく表現している）、その毛先が伝熱フィン１，１間の中央に位置して少なくとも前列側の伝熱管２ａ，２ａ・・・部分に届くように適切に設計配設されている。
【００４８】
そして、上記ブラシ毛５ａ，５ａ・・・には、上記伝熱フィン１，１・・・の表面に生じる氷の最大硬度よりも硬度が高く、伝熱フィン（アルミ合金材料）１，１・・・の硬度よりも硬度が低い材料（また、そのような硬度となるような表面加工処理）が採用されている。
【００４９】
各種測定の結果によると、着霜部Ｆ，Ｆ・・・における氷結部の最大モース硬度は１〜２．５であり、アルミ材のモース硬度は２．９である。
【００５０】
したがって、ブラシ毛の硬度が氷より低いと、氷を削ることができない。またアルミ材よりも毛部の硬度が高いと伝熱フィンを削ってしまう。
【００５１】
このため、上記各ブラシ毛５ａ，５ａ・・・の硬度は、氷結部の硬度よりも硬く、伝熱フィンの材料硬度よりも軟かいものであることが必要である。
【００５２】
したがって、上記ブラシ毛５ａ，５ａ・・・のモース硬度は、それらの各条件を考慮すると、１〜２．９位が妥当である。
【００５３】
次に、本願発明の主題である除霜ブラシの各ブラシ毛の形状について説明すると、図５には本願発明の第１の構成をそなえた実施例のブラシ毛が示されている（なお、除霜ブラシ５には多数本のブラシ毛５ａ，５ａ・・・が植設されているが、図５にはそのうちの１本だけを拡大誇張して図示している：以下、図６ないし図９について同じ）。
【００５４】
この実施例における除霜ブラシのブラシ毛５ａは、その横断面形状が同ブラシ毛５ａの移動方向（矢印Ｒ方向＝除霜ブラシ５の回転方向）に向かって開いているＶ字形状となっている。
【００５５】
ブラシ毛の横断面の形状を上記のようにすると、ブラシ毛５ａが熱交換用フィン間の隙間内を移動するとき、その進行前方側にある各ブラシ毛５ａの２つのエッジ５ａｂ，５ａｃが両側のフィン面に鋭角的に接触して同フィン面に付着している霜又は氷をを強力に掻き落とすことができる。
【００５６】
この形状のブラシ毛は、特に熱交換用フィンに対する着霜又は着氷力が強い特に寒冷地用の室外熱交換器用除霜ブラシに適している。
【００５７】
図６に示す実施例は本願発明の第２の構成をそなえたブラシ毛を示している。
【００５８】
この実施例におけるブラシ毛５ａは、その横断面形状が同ブラシ毛の移動方向（矢印Ｒ方向＝除霜ブラシ５の回転方向）に向かって尖頂部５ａａを向けた逆Ｖ字形状とされている。
【００５９】
ブラシ毛の横断面の形状を上記のようにすると、ブラシ毛５ａが熱交換用フィン間の隙間内を移動するとき、もし、熱交換用フィン面に対する着霜量が多いなどしてブラシ毛５ａの移動に対して過度の抵抗力が作用するような場合には、ブラシ毛５ａの両サイドのエッジ５ａｂ，５ａｃが相互に近接する方向に変形してブラシ毛５ａの移動時における抵抗力を軽減するように作用する。したがって、除霜ブラシの駆動に必要なモーターも比較的小出力のものでよく除霜のための消費電力も低く抑えることができる。
【００６０】
この形状のブラシ毛は、熱交換用フィンに対して過度な着霜が発生することのない比較的温暖な地域の冷凍装置用室外熱交換器に適している。
【００６１】
図７に示す実施例は本願発明の第３の構成をそなえたブラシ毛を示している。
【００６２】
この実施例におけるブラシ毛５ａは、全体が先細円柱状でフィン間隙間の入口側において高密度（比較的大径）で、フィン間隙間の奥方向側において疎密度（比較的小径）とされている。
【００６３】
ブラシ毛の形状を上記のようにすると、比較的着霜量の多いフィン間隙間の入口側においてはブラシ毛５ａの基部側（高密度部分）５ａｄで除霜作用が行われ、比較的着霜量の少ないフィン間隙間の奥方向側に対してはブラシ毛先端側（比較的低密度部分）５ａｅで除霜作用が行われて、全体として均衡のとれた除霜作用が行われる効果がある。
【００６４】
図８に示す実施例は本願発明の第４の構成をそなえたブラシ毛を示している。
【００６５】
この実施例におけるブラシ毛５ａは、全体が細長い先細円柱状でしかもその先端部５ａｆが球形とされている。この球形部５ａｆの直径はブラシ毛基部５ａｄの直径と同じかそれよりも大径でフィン間隙間の間隔とほぼ同一とされており、ブラシ毛５ａがフィン間隙間内に進入した際には、この球形部５ａｆが両側のフィン面にほぼ同時に当接するように作用する。
【００６６】
このようにすると、ブラシ毛５ａがフィン間隙間内に進入した際、同ブラシ毛５ａがどちらかのフィン面側に片寄ることがなく、全体的に均等にフィン間隙間の除霜を行うことができる。
【００６７】
図９に示す実施例は本願発明の第５の構成をそなえたブラシ毛を示している。
【００６８】
この実施例におけるブラシ毛５ａは、全体が中空円筒状で、その基部５ａｄ側において回転ブラシ軸（中空軸としている）４の中空部４ａに連通している。回転ブラシ軸の一端側には軸中空部４ａに霜融解用の流体（たとえば、温風、温水等）Ａを供給する流体供給装置（図示省略）が設けられていて、この流体Ａがブラシ毛５ａに形成されている多数の微小孔５ａｇ，５ａｇ・・・からフィン間隙間内に供給されるようになっている。
【００６９】
この実施例のブラシ毛５ａを使用した場合は、フィン間隙間内に供給される霜融解流体がフィン表面の霜を融解し（もしくは軟らかくし）、ブラシ毛５ａによる霜掻き落し作用を助長する効果がある。
【００７０】
なお、本願発明が対象とする除霜用のブラシは、必ずしも上述のような回転型のブラシに限られるものではなく、非回転型の上下昇降型ブラシでもよい。
【００７１】
（その他の実施形態）
また、本願発明は、回転型又は非回転型何れの除霜用ブラシの場合においても、ブラシ部の毛の長さ、さらには剛性、硬度、断面形状、先端形状等霜除去機能の異なる複数の種類の毛を持つように構成して、霜が付着している場所および付着している霜の状態に応じて効率良く除霜するというものであり、上記各実施形態の構成に限られることなく、上記除霜性能を決定する、それらの各要素の最適な選択、最適な組み合わせが種々採用される。
【００７２】
さらに、以上の実施形態では、それぞれ伝熱管が前後に２列あるタイプの熱交換器について適用したため、後列側の伝熱フィン部分の霜は若干残される。しかし、同部分は位置的に着霜量が少ない部分であることから、必要に応じて短時間のデフロスト制御を組み合わせるようにしてもよい。
【００７３】
もちろん一列タイプのものの場合には、このような対応も殆ど不要である。
【図面の簡単な説明】
【００７４】
【図１】本願発明の実施例に係る除霜ブラシを備えた冷凍装置用熱交換器の構成を示す斜視図である。
【図２】同装置における被除霜体である熱交換器と除霜用回転ブラシおよび昇降駆動機構との対応関係を示す側面図である。
【図３】同装置における除霜状態を示す水平断面図である。
【図４】本願発明の実施例における回転除霜ブラシの斜視図である。
【図５】本願発明の第１の構成を採用した実施例におけるブラシ毛の形状説明図である。
【図６】本願発明の第２の構成を採用した実施例におけるブラシ毛の形状説明図である。
【図７】本願発明の第３の構成を採用した実施例におけるブラシ毛の形状説明図である。
【図８】本願発明の第４の構成を採用した実施例におけるブラシ毛の形状説明図である。
【図９】本願発明の第５の構成を採用した実施例におけるブラシ毛の形状説明図である。
【図１０】従来一般の室外熱交換器（蒸発器時）の伝熱フィンへの着霜状態を示す水平断面図である。
【図１１】同伝熱フィン部分の着霜状態を示す拡大断面図である。
【符号の説明】
【００７５】
１は伝熱フィン、２ａは前列側伝熱管、２ｂは後列側伝熱管、４は回転軸、５ａはブラシ毛、８はスクリューシャフト、９はブラシ等支持ブラケット、１０は室外熱交換器、１６ａは主動プーリ、１６ｂは従動プーリ、１７はタイミングチェーン、１８はブラシ等支持ブラケット、Ｍ1はブラシ回転駆動用モータ、Ｍ2はプーリ駆動用モータである。
【図１】
2009243811.tif 000003
【図２】
2009243811.tif 000004
【図３】
2009243811.tif 000005
【図４】
2009243811.tif 000006
【図５】
2009243811.tif 000007
【図６】
2009243811.tif 000008
【図７】
2009243811.tif 000009
【図８】
2009243811.tif 000010
【図９】
2009243811.tif 000011
【図１０】
2009243811.tif 000012
【図１１】
2009243811.tif 000013